(57)【要約】【課題】物品の取り出し作業をより容易に行うことが可能な構造のマガジンを提供する。【解決手段】マガジン１００は、複数の物品（例えば、たばこ商品６０）を前後方向に並べて搭載可能な搭載部１０と、搭載部１０に沿って前後に移動可能に設けられた押圧スライダ３０と、押圧スライダ３０を前方に付勢する付勢部（例えば、線材リール５０）と、を備えるマガジンであって、搭載部１０は、物品を前方に向けて摺動可能に支持する底部１２を有する搭載部本体１１を有し、当該マガジン１００は、搭載部本体１１の装着領域５６に着脱可能に装着される底上げ部材４０を更に備え、底上げ部材４０は、物品を前方に向けて摺動可能に支持する第２底部４１を有し、底上げ部材４０が装着領域５６に装着された状態では、底部１２の前端部の上方位置に第２底部４１の前端部が配置される。【選択図】図３
2020151471.tif 000002
【特許請求の範囲】
【請求項１】
複数の物品を前後方向に並べて搭載可能な搭載部と、
前記搭載部に沿って前後に移動可能に設けられた押圧スライダと、
前記押圧スライダを前方に付勢する付勢部と、
を備えるマガジンであって、
前記搭載部は、前記物品を前方に向けて摺動可能に支持する底部を有する搭載部本体を有し、
当該マガジンは、前記搭載部本体の装着領域に着脱可能に装着される底上げ部材を更に備え、
前記底上げ部材は、前記物品を前方に向けて摺動可能に支持する第２底部を有し、
前記底上げ部材が前記装着領域に装着された状態では、前記底部の前端部の上方位置に前記第２底部の前端部が配置されるマガジン。
【請求項２】
前記装着領域は、前記搭載部本体の前部の領域であり、
前記第２底部は、前記底部の前部を底上げするものであり、前方に向けて上り傾斜している請求項１に記載のマガジン。
【請求項３】
前記底上げ部材は、前記第２底部の前縁部から上方に向けて起立していて前記物品の前方移動を規制する前方移動規制部を有する請求項１又は２に記載のマガジン。
【請求項４】
前記第２底部は、前記物品を支持する一対の支持レール部を含み、
前記一対の支持レール部どうしが相互に離間しており、
前記底上げ部材は、前記一対の支持レール部の一端部どうしを相互に連結している連結部を有し、
前記底上げ部材は、前記連結部が前、前記一対の支持レール部が後、且つ、前記一対の支持レール部が横方向に並ぶ向きで、前記装着領域に装着されるようになっており、
前記底上げ部材が前記装着領域に装着されている状態で、前記押圧スライダが前進した際に、当該押圧スライダが前記一対の支持レール部どうしの間に進入する請求項１から３のいずれか一項に記載のマガジン。
【請求項５】
前記搭載部は、前記押圧スライダの移動領域よりも後方に、前記底上げ部材の保管領域を有し、
前記連結部が下、前記一対の支持レール部が上の姿勢で、前記底上げ部材を前記保管領域に配置可能である請求項４に記載のマガジン。
【請求項６】
前記搭載部は、前記押圧スライダの移動領域の後部に、前記底上げ部材の保管領域を有し、
前記連結部が後、前記一対の支持レール部が前、且つ、前記一対の支持レール部が横方向に並ぶ向きで、前記底上げ部材を前記保管領域に配置可能であり、
前記底上げ部材が前記保管領域に配置されている状態で、前記押圧スライダが後退した際に、当該押圧スライダが前記一対の支持レール部どうしの間に進入する請求項４に記載のマガジン。
【請求項７】
前記底上げ部材として、底上げ高さが互いに異なる複数種類の底上げ部材を選択的に前記装着領域に装着可能である請求項１から６のいずれか一項に記載のマガジン。
【請求項８】
前記搭載部本体の内面において、前記物品と接触し得る部位の少なくとも一部分は、粗面化された粗面化部である請求項１から７のいずれか一項に記載のマガジン。
【請求項９】
前記搭載部本体は、左右一対の側壁部を有し、前記側壁部の内面の少なくとも一部分に前記粗面化部が形成されている請求項８に記載のマガジン。
【請求項１０】
前記側壁部の前部においては、当該側壁部の上縁に沿った部位に前記粗面化部が形成されている請求項９に記載のマガジン。
【請求項１１】
前記側壁部の後部、及び、前記側壁部の前記後部と前記前部との間の中間部においては、内面の全体に前記粗面化部が形成されている請求項１０に記載のマガジン。
【請求項１２】
前記底部の前部における一部分の上面に前記粗面化部が形成されている請求項８から１１のいずれか一項に記載のマガジン。
【請求項１３】
前記押圧スライダの背面の少なくとも一部分が粗面化されている請求項１から１２のいずれか一項に記載のマガジン。
【請求項１４】
前記押圧スライダの背後に、前記押圧スライダの位置の測距用の発光部が設置されており、
前記発光部は、前記押圧スライダの前記粗面化されている部分と同じ高さ位置に配置されている請求項１３に記載のマガジン。
【請求項１５】
前記搭載部に前記物品を限度量まで補充した際の、最後尾の前記物品の後端位置を示す標示部を有する請求項１から１４のいずれか一項に記載のマガジン。
【請求項１６】
それぞれ複数のマガジンを横並びに支持可能な複数段の棚板を備えるマガジン什器であって、
前記複数のマガジンの各々は、請求項１から１５のいずれか一項に記載のマガジンであるマガジン什器。
【請求項１７】
前記マガジンの前記搭載部は、前方を向く前壁部を有し、前記前壁部の上下寸法は、当該マガジンの横幅寸法よりも大きい請求項１６に記載のマガジン什器。
【請求項１８】
一の前記棚板に前記複数のマガジンが支持された状態で、これら複数のマガジンの前記前壁部の上縁と当該一の棚板の一段上の前記棚板の下縁との高低差が、横方向において互いに隣り合う前記マガジンどうしの間隙よりも大きい請求項１７に記載のマガジン什器。
【請求項１９】
前記マガジンの前記前壁部の上縁の位置が、当該マガジンの前記押圧スライダの上縁の位置よりも高い請求項１７又は１８に記載のマガジン什器。
【発明の詳細な説明】
【技術分野】
【０００１】
本発明は、マガジン、及び、マガジン什器に関する。
【背景技術】
【０００２】
コンビニエンスストアなどの店舗では、様々な物品がいわゆる什器に配置されている。
たばこ商品などの特定の物品を配置するための什器の棚には、複数の物品を前後方向に並べて配置するための容器（例えば、特許文献１参照）が複数設置される。この容器は、一般的にはマガジン、カートリッジまたはホルダーなどと呼ばれている。以下では、この容器をマガジンと呼称する。
なお、ここでいうたばこ商品とは、喫煙に供される個々の紙巻たばこではなく、複数本の紙巻たばこを収容している直方体状のパッケージや他のたばこ製品を収容する直方体状のパッケージを意味している。
【先行技術文献】
【特許文献】
【０００３】
【特許文献１】特表２０１３−５２６２９６号公報
【発明の概要】
【発明が解決しようとする課題】
【０００４】
本発明者の検討によれば、特許文献１の技術では、マガジンからの物品の取り出しやすさについて、なお改善の余地がある。
【０００５】
本発明は、上記の課題に鑑みてなされたものであり、物品の取り出し作業をより容易に行うことが可能な構造のマガジンを提供するものである。
【課題を解決するための手段】
【０００６】
本発明によれば、複数の物品を前後方向に並べて搭載可能な搭載部と、
前記搭載部に沿って前後に移動可能に設けられた押圧スライダと、
前記押圧スライダを前方に付勢する付勢部と、
を備え、
前記搭載部は、
前記物品を前方に向けて摺動可能に支持する底部を有する搭載部本体と、
前記物品を前方に向けて摺動可能に支持する第２底部を有し、前記搭載部本体の装着領域に着脱可能に装着される底上げ部材と、
を有し、
前記底上げ部材が前記装着領域に装着された状態では、前基底部の前端部の上方位置に前記第２底部の前端部が配置されるマガジンが提供される。
【発明の効果】
【０００７】
本発明によれば、マガジンからの物品の取り出しをより容易に行うことが可能となる。
【図面の簡単な説明】
【０００８】
【図１】第１実施形態に係るマガジン什器の部分拡大の側面図であり、１つのマガジン及びその周囲の部分を示す。
【図２】図１の部分拡大図である。
【図３】第１実施形態に係るマガジン什器の部分拡大の側断面図であり、１つのマガジンの前部とその周囲の部分を示しており、特に、マガジンの装着領域に底上げ部材が装着されている状態を示す。
【図４】第１実施形態に係るマガジン什器の部分拡大の側断面図であり、１つのマガジンの前部とその周囲の部分を示しており、特に、マガジンの装着領域に底上げ部材が装着されていない状態を示す。
【図５】第１実施形態に係るマガジンの平面図である。
【図６】第１実施形態に係るマガジンの前部の平面図である。
【図７】第１実施形態に係るマガジン什器の部分拡大の正面図である。
【図８】図８（ａ）及び図８（ｂ）は第１実施形態における底上げ部材の斜視図である。
【図９】図９（ａ）、図９（ｂ）及び図９（ｃ）は第１実施形態における底上げ部材を示す図であり、このうち図９（ａ）は平面図、図９（ｂ）は側面図、図９（ｃ）は正面図である。
【図１０】図１０（ａ）及び図１０（ｂ）は第１実施形態に係るマガジンの後部を示す図であり、このうち図１０（ａ）は平面図、図１０（ｂ）は側面図である。
【図１１】第１実施形態に係るマガジン什器の斜視図である。
【図１２】図１２（ａ）及び図１２（ｂ）は第２実施形態に係るマガジンの後端部を示す図であり、このうち図１２（ａ）は平面図、図１２（ｂ）は側面図である。
【図１３】図１３（ａ）及び図１３（ｂ）は第３実施形態に係るマガジンを示す図であり、このうち図１３（ａ）は平面図、図１３（ｂ）は側面図である。
【図１４】第４実施形態に係るマガジン什器の部分拡大の側面図であり、１つのマガジン及びその周囲の部分を示す。
【図１５】第４実施形態における搭載部本体の平面図である。
【図１６】第４実施形態における搭載部本体の側面図である。
【図１７】図１５に示すＡ―Ａ線に沿った断面図である。
【図１８】図１８（ａ）及び図１８（ｂ）は第４実施形態における押圧スライダを示す図であり、このうち図１８（ａ）は側面図、図１８（ｂ）は斜視図である。
【発明を実施するための形態】
【０００９】
以下、本発明の実施形態について、図面を用いて説明する。なお、すべての図面において、同様の構成要素には同一の符号を付し、適宜に説明を省略する。
【００１０】
〔第１実施形態〕
先ず、図１から図１１を用いて第１実施形態を説明する。
図１は本実施形態に係るマガジン什器１１０の部分拡大の側面図であり、１つのマガジン１００及びその周囲の部分を示す。図２は図１の部分拡大図である。図１及び図２において、マガジン１００を収容するマガジン収容棚１１１については断面構造を示している。図２において、前傾した状態のフラップ２１が二点鎖線で示されている。
図３及び図４は本実施形態に係るマガジン什器１１０の部分拡大の側断面図であり、１つのマガジンの前部とその周囲の部分を示している。このうち図３はマガジン１００の装着領域５６（図１〜図３等）に底上げ部材４０が装着されている状態を示し、図４は装着領域５６に底上げ部材４０が装着されていない状態を示す。
なお、図１から図３において、マガジン１００に搭載されているたばこ商品６０は、いわゆるレギュラーサイズのものである。図４において、マガジン１００に搭載されているたばこ商品６０は、いわゆるロングサイズのものである。以下、マガジン１００にたばこ商品６０が搭載されていることを、マガジン１００にたばこ商品６０が収容されている、という場合がある。
図５及び図６は本実施形態に係るマガジン１００の平面図であり、このうち図５はマガジン１００の全体を示し、図６はマガジン１００の前部を示す。
図７は第１実施形態に係るマガジン什器１１０の部分拡大の正面図である。
図８（ａ）から図９（ｃ）は第１実施形態における底上げ部材４０を示す図であり、このうち図８（ａ）は斜め後方から視た斜視図、図８（ｂ）は斜め前方から視た斜視図、図９（ａ）は平面図、図９（ｂ）は側面図、図９（ｃ）は正面図である。
図１０（ａ）及び図１０（ｂ）は第１実施形態に係るマガジン１００の後部を示す図であり、このうち図１０（ａ）は平面図、図１０（ｂ）は側面図である。図１０（ａ）及び図１０（ｂ）においては、底上げ部材４０が保管領域（第２領域４９）に配置されている状態を示す。
図１１は本実施形態に係るマガジン什器１１０の斜視図である。
【００１１】
図１から図１１のいずれかに示すように、本実施形態に係るマガジン１００は、複数の物品（例えば、たばこ商品６０）を前後方向に並べて搭載可能な搭載部１０と、搭載部１０に沿って前後に移動可能に設けられた押圧スライダ３０と、押圧スライダ３０を前方に付勢する付勢部（例えば、線材リール５０）と、を備えている。搭載部１０は、物品を前方に向けて摺動可能に支持する底部１２を有する搭載部本体１１を有する。
マガジン１００は、搭載部本体１１の装着領域５６（図１〜図３等）に着脱可能に装着される底上げ部材４０（図８（ａ）〜図９（ｂ））を更に備えている。
底上げ部材４０は、物品を前方に向けて摺動可能に支持する第２底部４１を有する。底上げ部材４０が装着領域５６に装着された状態（図１〜図３、図５、図６等）では、底部１２の前端部（例えば、後述する水平部２０）の上方位置に第２底部４１の前端部（例えば、後述する連結部４３）が配置される。
【００１２】
本実施形態によれば、底上げ部材４０を搭載部本体１１に装着することによって、底上げ部材４０を用いない場合と比べて、マガジン１００の前端部におけるたばこ商品６０の上端位置を高くすることができる。このため、マガジン１００に搭載されるたばこ商品６０が、相対的に高さ寸法が小さい種類である場合に、底上げ部材４０を用いることによって、相対的に高さ寸法が大きい種類のたばこ商品６０を取り出す場合と同様の作業性で、たばこ商品６０をマガジン１００から取り出せるようになる。よって、マガジン１００からのたばこ商品６０の取り出しを店員などのオペレータがより容易に行うことが可能になる。
【００１３】
また、本実施形態に係るマガジン什器１１０は、それぞれ複数のマガジンを横並びに支持可能な複数段の棚板１１２を備える。棚板１１２に支持される複数のマガジンの各々は、本実施形態に係るマガジン１００である。
【００１４】
ここでいうたばこ商品６０は、喫煙に供される個々の紙巻きたばこではなく、複数本の紙巻きたばこを収容している直方体状のパッケージや、紙巻たばこ以外の他のたばこ製品を収容する直方体状のパッケージを意味している。他のたばこ製品としては、嗅ぎたばこ、パイプたばこのほか、それら他のたばこ製品に用いられる吸引具等の関連物品を挙げることができる。より詳細には、他のたばこ製品としては、エアロゾル吸引器の一種である電子たばこの関連物品を挙げることができる。
【００１５】
本実施形態では、各構成要素の位置関係をわかりやすく説明するために、前後左右上下等の方向を規定して説明する場合がある。すなわち、マガジン１００及びマガジン什器１１０の正面側を前方向、背面側を後方向とする。また、水平な方向であって前後方向に対して直交する方向を横方向といい、横方向のうち、マガジン１００及びマガジン什器１１０を正面側から視たときの左側を左方向、右側を右方向という。しかし、これらの方向の規定は便宜的なものであり、本発明を実施する製品の製造時や使用時の方向を限定するものではない。
後述するフラップ２１の各部の位置関係は、特に断りが無い限り、フラップ２１が起立している状態での位置関係を説明したものである。
底上げ部材４０の各部の位置関係は、特に断りが無い限り、底上げ部材４０が装着領域５６に装着された状態での位置関係を説明したものである。
また、本発明の各種の構成要素は、個々に独立した存在である必要は無く、一つの構成要素が他の構成要素の一部であること、ある構成要素の一部と他の構成要素の一部とが重複していること、等を許容する。
【００１６】
マガジン１００の搭載部１０には、例えば、複数のたばこ商品６０を縦置で一列に並べて搭載可能となっている。より詳細には、たばこ商品６０は、当該たばこ商品６０の長手方向が上下方向となり、当該たばこ商品６０の厚み方向が前後方向となる姿勢で、搭載部１０に搭載される。
ただし、本発明は、この例に限らず、搭載部１０には、たばこ商品６０を複数列に並べて搭載可能であってもよいし、たばこ商品６０がその他の姿勢で搭載されるようになっていてもよい。
【００１７】
搭載部１０の具体的な構造は特に限定されないが、本実施形態の場合、搭載部１０は、前後方向に長尺で上方に向けて開口している箱型の容器である。
搭載部１０は、例えば、複数のたばこ商品６０を支持する底部１２と、左右一対の側壁部１７と、前壁部２２と、後壁部１９と、を備えて構成されている。
底部１２、側壁部１７、後壁部１９及び前壁部２２は、例えば、それぞれ板状に形成されている。
底部１２及び側壁部１７は、それぞれ前後方向に長尺に形成されている。
【００１８】
搭載部１０は、その全体が一体形成されていてもよいが、本実施形態の場合、搭載部１０は、例えば、搭載部本体１１と、搭載部本体１１の前端部に設けられているフラップ２１と、によって構成されている。このうち搭載部本体１１の一部分ずつによって、底部１２と、左右一対の側壁部１７と、後壁部１９と、が構成されている。一方、フラップ２１の一部分によって、前壁部２２が構成されている。
【００１９】
本実施形態の場合、搭載部本体１１の内部領域は、第１領域４８と第２領域４９（保管領域）とを含む。搭載部本体１１の内部領域とは、左右の側壁部１７と、底部１２と、後壁部１９と、によって囲まれた領域、すなわち底部１２の上方の領域であって左右の側壁部１７どうしの対向間隔に位置する領域である。
第１領域４８は、たばこ商品６０の搭載領域並びにたばこ商品６０の移動領域と、押圧スライダ３０の移動領域と、装着領域５６と、を含む。第１領域４８は、例えば、搭載部本体１１の内部領域のうち後端部を除く領域である。
第２領域４９は、例えば、搭載部本体１１の内部領域における後端部であり、第１領域４８の後側に隣接している。底上げ部材４０を使用しないとき（底上げ部材４０を装着領域５６に装着していないとき）には、当該底上げ部材４０を第２領域４９（保管領域）に配置することが可能となっている（詳細後述）。
【００２０】
底部１２は、例えば、第１領域４８の前端から後端に亘って延在している。
一方、側壁部１７は、例えば、搭載部本体１１の前端から後端に亘って延在している。すなわち、側壁部１７は、第１領域４８の前端から第２領域４９の後端に亘って延在している。
後壁部１９は、例えば、搭載部本体１１、すなわち第２領域４９の後端に配置されている。
【００２１】
底部１２の横方向における中央部には、例えば、当該底部１２を上下に貫通するスリット１３が形成されており、当該スリット１３は、当該底部１２の後端部から前端部に亘って前後に延在している。
底部１２において、スリット１３を介して左右に隔てられている部分を、それぞれ側部１２ａと称する。すなわち、底部１２は、左右一対の側部１２ａを有する。
【００２２】
一対の側部１２ａの各々の上面には、前後に延在する突条であるガイドレール１４ｂ（以下、一対のガイドレール１４ｂ）が形成されている。
底部１２上に搭載されたたばこ商品６０は、一対のガイドレール１４ｂ間に跨がった状態となり、一対のガイドレール１４ｂに沿って前後に摺動可能となる。
【００２３】
一対の側部１２ａの各々の前端部は、それぞれ前方に向けて上り傾斜しているスロープ１５（図４参照）となっている。このため、押圧スライダ３０に押されて底部１２の前端部に到達したたばこ商品６０は、スロープ１５に沿って上方に変位するので、当該たばこ商品６０の上端の位置が、他のたばこ商品６０の上端の位置よりも高くなる。しかも、より前方に位置するたばこ商品６０の上端の位置が、より高くなるようになっている。
底部１２において、スロープ１５よりも後方の部分は、実質的に水平に延在している。
ガイドレール１４ｂは、スロープ１５よりも後方においては水平方向に延在しており、スロープ１５の形成箇所ではスロープ１５の上面に沿って（つまり傾斜方向に）延在している。
【００２４】
一対の側部１２ａの各々において、ガイドレール１４ｂの形成位置よりもスリット１３に近い部分（横方向における中央寄りの部分）は、前端部（スロープ１５と左右に並ぶ位置）においても水平に形成されている。
一対の側部１２ａの各々において、ガイドレール１４ｂの形成位置よりもスリット１３に近い部分には、前後に延在する突条であるスライドレール１４ａが形成されている。スライドレール１４ａは、押圧スライダ３０の後述する摺動部３１を前後にガイドする。
スライドレール１４ａの高さ寸法は、ガイドレール１４ｂの高さ寸法よりも小さい。このため、ガイドレール１４ｂに支持されているたばこ商品６０の下面は、スライドレール１４ａの上端よりも高い位置に配置される。よって、たばこ商品６０とスライドレール１４ａとの干渉を抑制できるようになっている。
【００２５】
底部１２の前端部（一対の側部１２ａの前側に隣接している部分）は、水平に配置されている。以下、底部１２の前端部を水平部２０と称する。
水平部２０は、一対の側部１２ａの各々の前縁（つまり各スロープ１５の前縁）どうしを相互に連結しており、スリット１３の前縁を画定している。
水平部２０の高さ位置は、スロープ１５の前縁の高さ位置と等しい。側部１２ａにおけるスロープ１５よりも後方の部分と、水平部２０と、の高低差は、スロープ１５の高さ寸法に等しい。
図４に示すように、装着領域５６に底上げ部材４０が装着されていない状態では、搭載部１０に搭載されているたばこ商品６０のうち、少なくとも先頭のたばこ商品６０が、水平部２０の上面に載るようになっている。このため、少なくとも先頭のたばこ商品６０の上端面を水平に維持しやすく、当該たばこ商品６０を搭載部１０からより容易に取り出せるようになっている。
【００２６】
搭載部本体１１は、水平部２０の前縁から上方に起立している前板部１８を有する。前板部１８の板面は、前後方向を向いている。前板部１８は、押圧スライダ３０に押されて底部１２の前端部に到達した先頭のたばこ商品６０の更なる前方移動を規制する。前板部１８の高さ寸法は、たばこ商品６０の高さ寸法の半分以下であることが好ましく、たばこ商品６０の高さ寸法の１／４以下であることが更に好ましい。
なお、前板部１８は、水平部２０の前縁から、上方に起立しているだけでなく、垂下もしている。
【００２７】
一対の側壁部１７の各々は、底部１２の左右両側縁から上方に起立しているとともに、底部１２の左右両側縁から垂下もしている。
一対の側壁部１７は、略鉛直に配置されているとともに、それらの板面が左右方向を向いており、且つ、互いに平行に対向している。
各側壁部１７の下縁１７ｃは、前後に水平に延在している。
一方、例えば、図１に示すように、各側壁部１７の上縁は、前部において、後部よりも高くなっている。このため、搭載部１０の前部においてスロープ１５又は底上げ部材４０に沿って上方に押し上げられたたばこ商品６０が、搭載部１０の側方に脱落してしまうことを抑制することができる。より詳細には、側面視において、各側壁部１７の上縁は、例えば、側壁部１７の後端から前方に向けて水平に直線状に延びている第１直線部と、第１直線部の前端から前方に向けて上り傾斜している傾斜部と、傾斜部の前端から前方に向けて直線状に延びている第２直線部と、を有する。
【００２８】
搭載部本体１１は、フラップ２１を軸支する左右一対の軸部１７ｂを有する。左側の軸部１７ｂは、左側の側壁部１７の前端部の下端部における内面から内方向（右方）に向けて水平に延出しており、右側の軸部１７ｂは、右側の側壁部１７の前端部の下端部における内面から内方向（左方）に向けて水平に延出している。一対の軸部１７ｂの各々は、例えば、左右方向を軸方向とする円柱状に形成されている。一対の軸部１７ｂは、互いに同軸に配置されている。
ここで、前板部１８の左右の両側縁は、左右の側壁部１７からそれぞれ離間している。そして、各軸部１７ｂの内方側の端部が、例えば、前板部１８の下端部における左右の両側縁に接続されている。これにより、前板部１８と左右の側壁部１７とは、各軸部１７ｂを介して連結されている。
【００２９】
搭載部本体１１は、フラップ２１の揺動をガイドする左右一対のガイドピン１７ａを有する。
例えば、左側のガイドピン１７ａは、左側の側壁部１７の前端部における外面から外方向（左方）に向けて突出しており、右側のガイドピン１７ａは、右側の側壁部１７の前端部における外面から外方向（右方）に向けて突出している。
ガイドピン１７ａは、軸部１７ｂよりも上方に配置されている。より詳細には、ガイドピン１７ａは、例えば、軸部１７ｂよりも後方に配置されている。
【００３０】
搭載部本体１１は、更に、底部１２の左右両側縁部から下方に突出している突出部１２ｂを有する。突出部１２ｂは、側壁部１７の下縁よりも更に下方に突出している。突出部１２ｂは、例えば、板面が左右方向を向く平板状に形成されている。例えば、図５に示すように、突出部１２ｂは、マガジン収容棚１１１の左縁部と右縁部との各々において前後２箇所ずつ形成されている。突出部１２ｂは、マガジン什器１１０の棚板１１２に対するマガジン１００の位置決めに用いられる（詳細後述）。
【００３１】
フラップ２１は、一対の軸部１７ｂによって軸支されており、前傾する方向に揺動可能となっている。
フラップ２１は、例えば、平板状の前壁部２２と、それぞれ平板状の左右一対の側壁部２３と、を備えている。
フラップ２１が前傾してない通常時には、前壁部２２の板面が略鉛直に起立し、当該前壁部２２の板面が前後方向を向くようになっている。前壁部２２は、側壁部１７の前縁の前方に配置されている。また、前壁部２２は、前板部１８の前方に配置されている。
一対の側壁部２３は、板面が左右を向く板状に形成されており、前壁部２２の左右両側縁部（例えば、左右両側縁部の下部）からそれぞれ後方に向けて起立している。例えば、側壁部２３の側面形状は、略直角三角形状となっており、側壁部２３の下部に向けて、前壁部２２から後方への突出長が拡大している。側壁部２３は、側壁部１７の外面に沿って配置されている。
【００３２】
前壁部２２の背面の下端部には、左右一対の軸受部２２ａが形成されている。一対の軸受部２２ａの各々は、それぞれ後方に向けて突出している上下一対の突出片を有している。この上下一対の突出片により軸部１７ｂを上下から挟持することによって、一対の軸受部２２ａの各々は、対応する軸部１７ｂを軸受けしている。こうして、フラップ２１は一対の軸部１７ｂによって軸支されている。
【００３３】
左右一対の側壁部２３は、それぞれガイド孔２３ａを有する。ガイド孔２３ａは、側面視において軸部１７ｂを中心とする円弧状に延在している長孔である。ガイド孔２３ａは、軸受部２２ａよりも上方に配置されている。より詳細には、ガイド孔２３ａは、例えば、軸受部２２ａよりも後方に配置されている。ガイド孔２３ａは、例えば、斜め上後方に向けて凸の円弧状に形成されている。
各ガイド孔２３ａには、左右一対の側壁部１７にそれぞれ形成されたガイドピン１７ａが入り込んでおり、フラップ２１が揺動する際には、ガイドピン１７ａによってガイド孔２３ａがガイドされるようになっている。ガイド孔２３ａによって、フラップ２１の揺動の範囲が所定の角度の範囲に制限されている。
【００３４】
フラップ２１の前壁部２２は、正面視において矩形状に形成されており、当該前壁部２２の上縁及び下縁が水平に配置されている。
前壁部２２の背面において、一対の軸受部２２ａよりも上方の部位には、固定部２２ｂが形成されている。この固定部２２ｂは、線材リール５０の後述する線材５１の先端部が固定されている。
このため、フラップ２１において、軸受部２２ａよりも上方の部位が、常時、線材５１によって後方に牽引されている。この牽引力以外の外力がフラップ２１に作用していない通常時には、フラップ２１は起立した状態に維持されるようになっている。
一方、マガジン１００からのたばこ商品６０の取り出しの際などにおいて、上記牽引力に抗してフラップ２１を前傾させる外力がフラップ２１に作用した場合には、フラップ２１は前傾する。
より詳細には、例えば、フラップ２１が前傾した状態でも固定部２２ｂが底部１２の水平部２０よりも上方に位置するように、前壁部２２における固定部２２ｂの配置が設定されている。
なお、フラップ２１が起立した状態において、前壁部２２の下縁の高さ位置は、前板部１８の下縁の高さ位置並びに底部１２の下面の高さ位置よりも低い位置となることが好ましい。ただし、フラップ２１が起立した状態において、前壁部２２の下縁の高さ位置は、側壁部１７の下縁の高さ位置よりも僅かに高い位置となる。
【００３５】
押圧スライダ３０は、底部１２に沿って前後に移動可能に、底部１２に装着されている。
図１、図５及び図７に示すように、押圧スライダ３０は、底部１２に対して前後に摺動可能に底部１２に装着された摺動部３１と、この摺動部３１の前端部から上方に起立していてたばこ商品６０を前方に押圧する押圧部３２と、を備えて構成されている。
【００３６】
摺動部３１は、底部１２におけるスリット１３の左右縁部（つまり左右の側部１２ａの各々におけるスリット１３の縁部）をそれぞれ上下から挟持することによって、底部１２に対して装着されている。
このように装着された状態で、摺動部３１、ひいては押圧スライダ３０の全体が、スリット１３に沿って底部１２に対して前後にスライド移動可能となっている。
【００３７】
押圧部３２は、例えば、平板状に形成されており、その板面が前後方向を向いている。
押圧部３２は、搭載部１０に搭載されているたばこ商品６０のうち、最後尾のたばこ商品６０の背面に当接し、該たばこ商品６０を前方に押すようになっている。
押圧スライダ３０は、更に、押圧部３２における左右縁部からそれぞれ後方に向けて延出している左右一対の補強板３３を有している。一対の補強板３３は、互いに対向している。
【００３８】
上述のように、線材リール５０は、押圧スライダ３０を前方に付勢する付勢部である。
線材リール５０は、例えば、ケース部５２と、軸方向が左右方向となるようにケース部５２の内部中央部に設けられている軸部と、この軸部の軸周りにおいて回転自在にケース部５２内に設けられていて線材５１を巻き取る円筒形状のドラムと、ドラムの内側に設けられている巻きバネと、線材５１と、留め具５３（図３）と、を有している。なお、線材リール５０としては、周知の構造のものを使用することができるため、軸部、ドラム及び巻きバネについては図示を省略している。
【００３９】
ケース部５２は、押圧スライダ３０の下部に搭載されている。
巻きバネは、例えば、その一端部が軸部に固定されているとともに、その他端部がドラムに固定されており、軸部の周囲に渦巻き状に巻回されている。
線材５１は、その一端部がドラムに固定され、且つドラムの周囲に巻回されており、その他端側（先端側）がケース部５２の外部に導出されている。
線材５１の他端側は、押圧スライダ３０の摺動部３１に形成された通孔から摺動部３１の前方に引き出されている。引き出された線材５１の先端部（他端部）は、底部１２の水平部２０の下側をくぐり抜けた後、上方に導かれ、前壁部２２の背面の固定部２２ｂに固定されている。
ここで、水平部２０の下面には、水平部２０の後端から前端に亘って前後に延在する溝２０ａ（図３、図４）が形成されている。溝２０ａは、水平部２０の横方向における中央部に配置されている。一例として、前後に延在する左右一対のリブが水平部２０の下面に形成されており、これらリブどうしの間隙が溝２０ａを構成している。
線材５１は、溝２０ａを通って水平部２０の後方から前方に導かれ、更に、上方に向けて延びている。
このため、線材５１は、水平部２０の下面（溝２０ａの上面）に対して係合している。なお、水平部２０の下面と前端面との間の角部は面取り形状とされており、当該角部に対して線材５１がスムーズに摺動できるようになっている。
また、例えば、線材５１の先端部には留め具５３が取り付けられており、留め具５３がフラップ２１の前壁部２２の背面の固定部２２ｂに対して係止されることによって、線材５１の先端部が固定部２２ｂに固定されている。
なお、線材５１は、水平部２０と摺動部３１との間において、ガイドレール１４ｂ上に支持されるたばこ商品６０の下端面よりも低い位置にて前後方向に延在している。このため、ガイドレール１４ｂにより支持されるたばこ商品６０と線材５１とが互いに干渉しないようになっている。
【００４０】
線材リール５０の巻きバネは、線材５１をドラムに巻き取ることで当該線材５１をケース部５２内に引き込む方向へと、ドラムを付勢している。すなわち、巻きバネの付勢によりドラムがケース部５２に対して相対的に回転することで、線材５１がドラムに巻き取られることによって、線材５１がケース部５２内に引き込まれるとともに、押圧スライダ３０が前方に移動する。逆に、押圧スライダ３０を後方に移動させると、巻きバネの付勢に抗して線材５１がケース部５２から引き出される。
このため、線材リール５０は、巻きバネの付勢力によって、押圧スライダ３０を前方に引っ張っている（付勢している）。
この引っ張り力（付勢力）により、押圧スライダ３０の押圧部３２が最後尾のたばこ商品６０の背面を前方に押すようになっている。
先頭のたばこ商品６０が搭載部１０から取り出されると、押圧スライダ３０は、線材リール５０の付勢力によって残りのたばこ商品６０を前方に移動させる。
ここで、フラップ２１の固定部２２ｂは、軸受部２２ａ及び軸部１７ｂよりも上方に位置している。このため、通常時においては、フラップ２１が線材５１により後方に牽引されることによって当該フラップ２１が直立するようになっている。すなわち、線材リール５０は、フラップ２１を直立する方向へ付勢している。
【００４１】
なお、本実施形態では、巻きバネの他にケース部５２、ドラム及び線材５１等を備える線材リール５０によって付勢部が構成されている例を説明するが、本発明は、この例に限らず、巻きバネ単体により付勢部が構成されていてもよい。
【００４２】
次に、底上げ部材４０について詳述する。
【００４３】
底上げ部材４０は、搭載部本体１１の装着領域５６に装着されて、底部１２の少なくとも前端部を底上げするものである。
上述のように、底上げ部材４０は、たばこ商品６０を前方に向けて摺動可能に支持する第２底部４１を有する。そして、底上げ部材４０が装着領域５６に装着された状態では、底部１２の前端部（水平部２０）の上方位置に第２底部４１の前端部（後述する連結部４３）が配置される。
【００４４】
本実施形態の場合、底上げ部材４０は、底部１２の前部を底上げするものである。すなわち、本実施形態の場合、装着領域５６は、搭載部本体１１の前部の領域である。底上げ部材４０は、底部１２の前部の上面に沿って配置され、且つ、一対の側壁部１７の間に収容される。第２底部４１は、前方に向けて上り傾斜している。
ただし、本発明は、この例に限らず、底上げ部材４０は、底部１２を全域に亘って底上げするものであってもよい。この場合、第２底部４１は、全体的に平坦に形成されていて水平に配置されるようになっていてもよいし、少なくとも第２底部４１の前部が前方に向けて上り傾斜していてもよい。
【００４５】
図８（ａ）から図９（ｃ）のいずれかに示すように、本実施形態の場合、第２底部４１は、たばこ商品６０を支持する一対の（左右一対の）支持レール部４２を含む。底上げ部材４０は、一対の支持レール部４２の一端部（前端部）どうしを相互に連結している連結部４３を有する。一対の支持レール部４２どうしは横方向において相互に離間しており、一対の支持レール部４２の各々は、前後方向に延在している。すなわち、一対の支持レール部４２は、互いに並列に延在している。
本実施形態の場合、第２底部４１は、一対の支持レール部４２のみならず、連結部４３を含む。ただし、本発明は、この例に限らず、第２底部４１は、一対の支持レール部４２のみにより構成されていてもよい。すなわち、連結部４３は、一対の支持レール部４２どうしを連結しているが、たばこ商品６０を支持しないものであってもよい。
【００４６】
一対の支持レール部４２の各々は、例えば、一定の横幅寸法を有しており、平面視において、前後に長尺な長方形状に形成されている。
一対の支持レール部４２の各々の後端部５４は、薄板状に形成されている。
後端部５４は、側部１２ａの上面に沿って水平に配置される（図３、図６）。
後端部５４の厚み寸法は、例えば、ガイドレール１４ｂの高さ寸法よりも小さい。このため、例えば、ガイドレール１４ｂの上縁の位置が、後端部５４の上面よりも高い位置となる。
【００４７】
ここで、各支持レール部４２において後端部５４よりも前側の部分をレール本体５７と称する。
レール本体５７は、前後に長尺に形成されていて前方に向けて直線状に上り傾斜している平板状のものである。レール本体５７の上面には、前後に延在する突条であるガイドレール４２ａが形成されている。
レール本体５７の上面における後端の高さ位置は、後端部５４の上面と同じ位置となっている。
【００４８】
連結部４３は、左右に長尺な平板状に形成されており、水平に配置されている。より詳細には、連結部４３は、例えば、平面視において、左右に長尺な長方形状に形成されている。
連結部４３の上面の高さ位置は、レール本体５７の上面における前端の高さ位置と同じ位置となっている。
【００４９】
底上げ部材４０は、各支持レール部４２の幅方向における両側縁からそれぞれ垂下している側壁部４２ｂ、４２ｃを有する。各側壁部４２ｂ、４２ｃは、平板状に形成されており、それらの各々の板面は左右方向を向いている。
各支持レール部４２における内側の側壁部４２ｂどうしは互いに平行に対向しており、各支持レール部４２における外側の側壁部４２ｃどうしは互いに反対向きに配置されている。
【００５０】
底上げ部材４０は、更に、連結部４３の幅方向における両側縁から垂下している一対の側壁部４７と、連結部４３の前縁から上方に起立及び下方に垂下している前壁部４５と、連結部４３において左右の支持レール部４２の間に位置する部分の後縁から垂下している後壁部４６と、を有する。
一対の側壁部４７の各々は、平板状に形成されている。左側の側壁部４７は、左側の側壁部４２ｃと同一平面上に配置されており、当該側壁部４２ｃの前側に連接されている。右側の側壁部４７は、右側の側壁部４２ｃと同一平面上に配置されており、当該側壁部４２ｃの前側に連接されている。
前壁部４５は、平板状に形成されているとともに、その板面が前後方向を向いている。
後壁部４６は、平板状に形成されており、その板面が前後方向を向いており、前壁部４５に対して平行に配置されている。
【００５１】
各側壁部４２ｂ、４２ｃの下縁の形状は、底部１２の側部１２ａの前部の上面（スロープ１５の上面を含む）と対応する形状となっている。
同様に、側壁部４７の下縁の形状、前壁部４５の下縁の形状、及び、後壁部４６の下縁の形状は、水平部２０の上面と対応する形状となっている。
【００５２】
図３及び図６に示すように、底上げ部材４０は、連結部４３が前、一対の支持レール部４２が後、且つ、一対の支持レール部４２が横方向に並ぶ向きで、装着領域５６に装着されるようになっている
底上げ部材４０が装着領域５６に装着された状態では、左側の支持レール部４２が左側の側部１２ａの前部（左側のスロープ１５を含む）を上側から覆い、右側の支持レール部４２が右側の側部１２ａの前部（右側のスロープ１５を含む）を上側から覆い、連結部４３が水平部２０を上側から覆う。
より詳細には、支持レール部４２は、例えば、側部１２ａにおいてガイドレール１４ｂよりもスリット１３から遠い部分（幅方向における外側の部分）を覆うようになっている。また、支持レール部４２は、側部１２ａにおけるスロープ１５よりも後方の部分と、スロープ１５と、を覆う。
底上げ部材４０が装着領域５６に配置された状態において、各側壁部４２ｂ、４２ｃの下縁が側部１２ａの前部の上面に対して実質的に線接触した状態となり、側部１２ａの上面と各側壁部４２ｂ、４２ｃの下縁との間に実質的に隙間が存在しないようになっている。
同様に、側壁部４７の下縁、前壁部４５の下縁、及び、後壁部４６の下縁が、水平部２０の上面に対して実質的に線接触した状態となるようになっている。
このため、底上げ部材４０を良好な安定性で装着領域５６に装着することができるようになっている。
【００５３】
底上げ部材４０は、例えば、側壁部４２ｂ又は側壁部４７の下縁から下方に突出している突出部４４を有する。突出部４４は、例えば、底上げ部材４０の左縁部と右縁部との各々において前後２箇所ずつ形成されている。
底部１２には、各突出部４４と対応する係合穴１６が形成されている。係合穴１６は、例えば、底部１２を上下に貫通している貫通穴（スリット）であるが、本発明は、この例に限らず、係合穴１６は、底部１２を貫通していない凹部であってもよい。
底上げ部材４０を上記の配置で装着領域５６に装着した際には、各突出部４４がそれぞれ対応する係合穴１６に入り込んで係合するようになっている（図２、図６）。このため、底上げ部材４０を装着領域５６に装着した状態において、底部１２に対する底上げ部材４０の位置ずれ（水平方向における位置ずれ）を抑制することができる。なお、底上げ部材４０を底部１２に対して容易に着脱可能となるように、係合穴１６は、突出部４４に対してある程度の遊びを有するサイズに形成されている。
【００５４】
図３に示すように、底上げ部材４０が装着領域５６に装着された状態では、搭載部１０の前部のたばこ商品６０は、第２底部４１によって支持される。すなわち、搭載部１０の前部のたばこ商品６０は、一対の支持レール部４２間に跨がって支持されるか、又は、連結部４３によって支持される。少なくとも先頭のたばこ商品６０が連結部４３によって支持され、連結部４３によって支持されているたばこ商品６０の後に続く１つ又は複数のたばこ商品６０が支持レール部４２間に跨がって支持される。
一対の支持レール部４２間に跨がって支持されるたばこ商品６０は、一対のガイドレール４２ａによって支持される。このため、押圧スライダ３０により押されて前進するたばこ商品６０が支持レール部４２によって押し上げられる際に、支持レール部４２とたばこ商品６０との摺動抵抗を低減できる。
【００５５】
前壁部４５において、連結部４３よりも上方に突出している部分は、前方移動規制部４３ａを構成している。底上げ部材４０が装着領域５６に装着された状態で、前方移動規制部４３ａは、前板部１８の上方に配置される。前方移動規制部４３ａは、押圧スライダ３０により押されて第２底部４１の前端部まで前進したたばこ商品６０の、更なる前方移動を規制する。
すなわち、底上げ部材４０は、第２底部４１の前縁部から上方に向けて起立していてたばこ商品６０の前方移動を規制する前方移動規制部４３ａを有する。
前方移動規制部４３ａの高さ寸法は、たばこ商品６０の高さ寸法の半分以下であることが好ましく、たばこ商品６０の高さ寸法の１／４以下であることが更に好ましい。
【００５６】
ここで、底上げ部材４０の前面側には、後方に向けて窪んだ凹所４５ａが形成されている。凹所４５ａは、横方向における前壁部４５の中央部において、前方及び下方に向けて開放している。
底上げ部材４０を装着領域５６に装着した状態では、搭載部本体１１の前板部１８が凹所４５ａに収容され、前方移動規制部４３ａと前板部１８とが略同一平面上に配置されるようになっている。
このため、底上げ部材４０を用いない場合において前板部１８によりたばこ商品６０の前進移動を規制する位置（前後方向における位置）と、底上げ部材４０を用いる場合において前方移動規制部４３ａによりたばこ商品６０の前進移動を規制する位置（前後方向における位置）とを、互いに同等の位置にすることができる。
【００５７】
底上げ部材４０の横幅寸法は、底部１２の横幅寸法よりも若干小さい程度に設定されている。
すなわち、連結部４３の横幅寸法、並びに、一対の支持レール部４２の側壁部４２ｃどうしの距離は、底部１２の横幅寸法よりも若干小さい程度に設定されている。
このため、一対の側壁部１７と底上げ部材４０との隙間が実質的に存在しない状態で、底上げ部材４０を装着領域５６に装着することができる。
【００５８】
また、一対の支持レール部４２どうしの対向間隔（側壁部４２ｂどうしの距離）は、押圧スライダ３０の横幅寸法よりも広い間隔に設定されている。そして、底上げ部材４０が装着領域５６に装着されている状態で、押圧スライダ３０が前進した際に、押圧スライダ３０が一対の支持レール部４２どうしの間に進入することが可能となっている（図５）。
つまり、前後方向において、装着領域５６と、押圧スライダ３０の移動領域とを重複させることができるので、マガジン１００におけるスペース効率が向上する。
【００５９】
上述のように、搭載部本体１１の内部領域の後端部は、底上げ部材４０の保管時に当該底上げ部材４０が配置される第２領域４９（保管領域）となっている。底上げ部材４０を使用しない（装着領域５６に装着しない）ときには、底上げ部材４０を装着領域５６から取り外して、マガジン１００内の保管領域に配置することが可能となっている。このため、底上げ部材４０を用いない場合において、底上げ部材４０の紛失を抑制することができ、底上げ部材４０を使用する際には底上げ部材４０を保管領域から取り外して速やかに装着領域５６に装着することができる。
図１０（ａ）及び図１０（ｂ）に示すように、第２領域４９は、例えば、直方体形状の領域である。第２領域４９の左右両端は、左右の側壁部１７によって画定されており、第２領域４９の後端は、後壁部１９によって画定されている。後壁部１９は、鉛直に配置されており、その板面が前後方向を向いている。
搭載部本体１１は、第２領域４９の下端を画定する底板４９ａと、第２領域４９の前端を画定する仕切板部５５と、を有する。
底板４９ａは、例えば、底部１２よりも下方において、水平に配置されている。
仕切板部５５は、鉛直に配置されているとともに、その板面が前後方向を向いており、後壁部１９に対して平行に対向している。
仕切板部５５によって、搭載部本体１１の内部領域は、前後方向において第１領域４８と第２領域４９とに区画されている。すなわち、搭載部本体１１の内部領域のうち、仕切板部５５よりも前方の領域が第１領域４８であり、仕切板部５５よりも後方の領域が第２領域４９である。
より詳細には、底板４９ａの下面の高さ位置は、側壁部１７の下縁１７ｃの高さ位置と同じである。同様に、後壁部１９の下縁及び仕切板部５５の下縁の高さ位置も、側壁部１７の下縁１７ｃの高さ位置と同じである。
【００６０】
このように、搭載部１０は、押圧スライダ３０の移動領域よりも後方に、底上げ部材４０の保管領域（第２領域４９）を有する。
図１０（ａ）及び図１０（ｂ）に示すように、底上げ部材４０は、連結部４３が下、一対の支持レール部４２が上の姿勢、保管領域に配置可能である。
すなわち底上げ部材４０は、使用時とは９０度異なる縦向きとなって、保管領域に保管される。このため、前後方向における保管領域の寸法をコンパクトにすることができるため、マガジン１００に対するたばこ商品６０の収容数を十分に確保することが可能である。
【００６１】
より詳細には、例えば、底上げ部材４０は、前壁部４５の前面が底板４９ａの上面に当接し、連結部４３及び支持レール部４２の上面が前方を向き、側壁部４２ｂ、４２ｃ、４７、前壁部４５及び後壁部４６の下縁が後方を向く姿勢で、保管領域（第２領域４９）に搭載される。
ここで、例えば、各側壁部１７において保管領域を構成する部分の内面には、底上げ部材４０を位置決めするための位置決め突起１９ａが形成されていることも好ましい。
例えば、底上げ部材４０を上記の姿勢で保管領域に搭載した際には、位置決め突起１９ａが側壁部４２ｃの下縁の一部分に当接し、底上げ部材４０が後方に転倒してしまうことを抑制できるようになっている。
【００６２】
底上げ部材４０は、例えば、樹脂等の材料によって、その全体が一体形成されている。
【００６３】
次に、本実施形態に係るマガジン什器１１０について詳述する。
【００６４】
マガジン什器１１０は、たばこ商品６０が外部から視認可能な状態でたばこ商品６０を収容するものであってもよいが、本実施形態の場合、マガジン什器１１０は、たばこ商品６０が外部から実質的に視認できない状態で収容する。
【００６５】
図１１に示すように、マガジン什器１１０は、複数段（例えば７段）の棚板１１２を有するマガジン収容棚１１１と、棚板１１２により支持されている複数のマガジン１００と、を備えて構成されている。
各段の棚板１１２には、互いに横並びに複数（例えば８つ）のマガジン１００が搭載され、正面視において、複数のマガジン１００がマトリクス状に配置されるようになっている。
【００６６】
棚板１１２の上面には、マガジン１００の突出部１２ｂを差し込み可能な形状の凹部１１２ａが、各突出部１２ｂと対応する位置にそれぞれ形成されている（図１〜図４、図７参照）。
マガジン１００が棚板１１２上に搭載された状態で、各突出部１２ｂが、それぞれ対応する凹部１１２ａ内に差し込まれるようになっている。
これにより、各マガジン１００を、水平方向に位置決めされた状態で棚板１１２上に搭載することができる。
なお、各突出部１２ｂは、その基端まで凹部１１２ａ内に差し込まれるようになっている。このため、マガジン１００は、側壁部１７の下縁１７ｃが棚板１１２の上面と接する（線接触する）状態で、棚板１１２上に搭載される。
このように複数のマガジン１００が棚板１１２上に横並びに搭載された状態で、各マガジン１００は等間隔に配置されるようになっている。
【００６７】
棚板１１２に複数のマガジン１００が搭載された状態で、各フラップ２１の前壁部２２は、互いに面一となっている。
更に、前壁部２２は、例えば、棚板１１２及び側壁１１３の前端面と面一となっている。
【００６８】
マガジン収容棚１１１は、例えば、左右一対の側壁１１３と、後壁部１１４と、天板１１８と、を更に備えている。複数段の棚板１１２の各々は、左右の側壁１１３間に架設されている。天板１１８は、左右の側壁１１３の上縁間に架設されている。
なお、マガジン什器１１０は、左右に並んで配置された複数のマガジン収容棚１１１を備えていてもよい。この場合、互いに隣り合うマガジン収容棚１１１がそれぞれ個別に側壁１１３を備えていてもよいし、互いに隣り合うマガジン収容棚１１１がそれらの間に位置する側壁１１３を共有していてもよい。
【００６９】
ここで、フラップ２１の前壁部２２の上下寸法Ｈ（図７）は、マガジン１００の横幅寸法Ｗ（図７）よりも大きいことが好ましい。すなわち、マガジン１００の搭載部１０は、前方を向く前壁部２２を有し、前壁部２２の上下寸法Ｈは、当該マガジン１００の横幅寸法Ｗよりも大きい。
更に、前壁部２２の上縁の位置は、押圧スライダ３０の上縁（押圧部３２の上縁）の位置よりも高いことが好ましい。
フラップ２１は、例えば、不透明な（可視光に対して不透明な）樹脂により構成されている。
このため、フラップ２１が起立した状態では、前壁部２２は、正面視にて、マガジン１００における前壁部２２以外の部分の実質的に全体を覆っている。
よって、正面視において、たばこ商品６０が前壁部２２に隠れるようにできる。本実施形態の場合、例えば、装着領域５６に底上げ部材４０を装着して搭載部１０にレギュラーサイズのたばこ商品６０を搭載したとき、並びに、装着領域５６に底上げ部材４０を装着せずに搭載部１０にロングサイズのたばこ商品６０を搭載したときに、それぞれ先頭のたばこ商品６０の上端の高さ位置が、前壁部２２の上縁とほぼ同等の高さ位置となるようになっている。
このため、搭載部１０に搭載されたたばこ商品６０をマガジン１００の正面側から実質的に視認できないようにすることができる。
【００７０】
なお、前壁部２２の上縁の位置は、側壁部１７の上縁の位置よりも高いことが好ましい。また、押圧スライダ３０の上縁の位置は、側壁部１７の上縁の位置よりも高いことが好ましい。
【００７１】
また、マガジン収容棚１１１の一の棚板１１２に複数のマガジン１００が支持された状態で、これら複数のマガジン１００の前壁部２２の上縁と当該一の棚板１１２の一段上の棚板１１２の下縁との高低差ΔＨ（図７）が、横方向において互いに隣り合うマガジン１００どうしの間隙Ｇ（図７）よりも大きい。
つまり、横隣のマガジン１００どうしはなるべく詰めて配置されている。その一方で、オペレータは、前壁部２２と１つ上の段の棚板１１２との間隙に指を入れて前壁部２２を前傾させ、マガジン１００からたばこ商品６０を容易に取り出すことができるようになっている。
なお、最上段の棚板１１２に支持されているマガジン１００に関しては、これらマガジン１００の前壁部２２の上縁と天板１１８の下縁との高低差を、高低差ΔＨと読み替えるものとする。
【００７２】
高低差ΔＨは、５ｍｍ以上３０ｍｍ以下であることが好ましく、１０ｍｍ以上２０ｍｍ以下であることが更に好ましい。これにより、オペレータは、前壁部２２の上縁と一段上の棚板１１２との間隙に指を入れて、容易にフラップ２１を前傾させることができる。
【００７３】
たばこ商品６０は、銘柄ごとに、互いに異なるマガジン１００に収容される。なお、同一銘柄のたばこ商品６０が複数のマガジン１００にそれぞれ収容されてもよい。
【００７４】
マガジン収容棚１１１は、個々のマガジン１００と対応して配置された複数の第１表示部１１５と、第２表示部１１７と、を備えている。
一例として、棚板１１２の前端面において、各マガジン１００の下側に位置する部位に、第１表示部１１５が設けられている。
図１１の例では、上から３段目の棚板１１２の下部には、左右に長尺な表示パネル１１９が設けられており、この表示パネル１１９に第２表示部１１７が設けられている。
【００７５】
マガジン什器１１０には、例えば、操作タブレットなどの図示しない操作端末が併設されている。購買客又は店員が操作端末に対して所定の操作を行うことにより、購買するたばこ商品６０の銘柄の指定と購買数の指定が可能となっている。
操作端末に対する操作により銘柄及び購買数が指定されると、指定された銘柄のたばこ商品６０が搭載されているマガジン１００と対応する第１表示部１１５が表示動作（例えば、発光するなど）を行うとともに、購買数の表示動作を第２表示部１１７が行うようになっている。
図１１においては、上から２段目の棚板１１２に支持されているマガジン１００のうち左から２番目のマガジン１００に、指定された銘柄のたばこ商品６０が搭載されている場合の動作例を示しており、当該マガジン１００と対応する第１表示部１１５である第１表示部１１５ａが発光している状態を示す。なお、便宜的に第１表示部１１５ａにはハッチングを付している。
店員は、このような発光表示を確認することによって、たばこ商品６０を取り出すべきマガジン１００の位置を速やかに認識することができる。
また、図１１においては、購買数が２個であった場合を示しており、第２表示部１１７では「０２」との表示報知が行われている。店員は、このような表示報知を確認することによって、たばこ商品６０を取り出すべき個数を速やかに認識することができる。
【００７６】
ここで、コンビニエンスストアなどの店舗においては、販売カウンタに複数の販売端末が設置されており、複数人の店員により並行して販売処理を行うことができるようになっていることが一般的であり、販売端末毎に、異なる店員が販売業務を担当するようになっている。
こうした場合、たばこ商品６０を取り出すべきマガジン１００の位置や個数だけでなく、取り出すべきたばこ商品６０が、複数の販売端末のうちいずれの販売端末での販売用であるかを示す情報を、第２表示部１１７にて報知することが好ましい。
例えば、図１１に示すように、「０２」、「１」との表示報知を行うことによって、複数の販売端末のうち１番レジを担当する店員は、第１表示部１１５ａと対応するマガジン１００から２個のたばこ商品６０を取り出して販売する業務が自分の担当業務であることを容易に認識することができる。
【００７７】
なお、マガジン什器１１０は、図示しない制御部と記憶部とを備えている。記憶部には、各銘柄のたばこ商品６０が複数のマガジン１００のうちいずれのマガジン１００に収容されているのかを示す情報が記憶されている。この情報は、より詳細には、例えば、たばこ商品６０の銘柄と、当該銘柄のたばこ商品６０を収容しているマガジン１００と対応する第１表示部１１５と、の対応関係を示すものである。
制御部は、操作端末に対する操作により指定された銘柄及び購買数を認識する処理と、第１表示部１１５及び第２表示部１１７の動作制御と、を行う。このうち、第１表示部１１５の動作制御に際しては、制御部は、記憶部の記憶内容を参照し、指定された銘柄と対応する第１表示部１１５（指定された銘柄のたばこ商品６０を収容しているマガジン１００と対応する第１表示部１１５）を発光させる。
【００７８】
図１に示すように、本実施形態の場合、マガジン収容棚１１１の後端部には、各マガジン１００毎に測距センサ１１６が設けられている。
測距センサ１１６は、例えば、光学式のものであり、前方に向けて光を照射する発光部１１６ａと、発光部１１６ａから照射された光の反射光を受光する受光部（不図示）と、を有する。測距センサ１１６の測定方式は、三角測距式であってもよいし、光が照射されてから受光されるまでの時間差を距離に換算する方式であってもよい。また、測距センサ１１６は、光学式のものに限らず、超音波式のものであってもよい。
測距センサ１１６は、例えば、当該測距センサ１１６と押圧スライダ３０との距離、当該測距センサ１１６と線材リール５０のケース部５２との距離、又は、当該測距センサ１１６と最後尾のたばこ商品６０との距離を検出する。
各測距センサ１１６による検出結果は、制御部に入力される。
【００７９】
ここで、発光部１１６ａは、例えば、測距センサ１１６の前面側に配置されており、前方に向けて突出している。
例えば、マガジン１００の後壁部１９の上縁部の横方向における中央部には、後壁部１９の上縁から下方に向けて切り欠かれた形状の切欠形状部１９ｂが形成されており、切欠形状部１９ｂを介して発光部１１６ａが後壁部１９よりも前方に突出できるようになっていてもよい（図１）。このようにすることによって、後壁部１９と発光部１１６ａとの干渉を抑制することができる。
なお、後壁部１９には切欠形状部１９ｂが形成されておらず、後壁部１９の上縁が左右に水平に延在しており、後壁部１９の上方に発光部１１６ａが配置されるようになっていてもよい。
【００８０】
次に、動作を説明する。
【００８１】
マガジン什器１１０の使用時には、図１１に示すように、各マガジン１００の搭載部１０に複数のたばこ商品６０が搭載され、各マガジン１００が棚板１１２上に並べて配置される。
各マガジン１００に搭載されているたばこ商品６０の種類に応じて、各マガジン１００の装着領域５６への底上げ部材４０の装着の有無が設定される。
【００８２】
すなわち、いわゆるロングサイズのたばこ商品６０を収容しているマガジン１００においては、底上げ部材４０を装着領域５６に装着せず、底上げ部材４０を保管領域に搭載する。マガジン１００内のたばこ商品６０がロングサイズの場合には、図４に示すように、底上げ部材４０を用いなくても、先頭のたばこ商品６０の上端位置が、フラップ２１の前壁部２２の上縁とほぼ同等の高さ位置となるようになっている。
底上げ部材４０が装着領域５６に装着されていないマガジン１００の場合、図４に示すように、搭載部１０に搭載されたたばこ商品６０のうち最後尾のたばこ商品６０の背面が押圧スライダ３０の押圧部３２によって前方に付勢され、先頭のたばこ商品６０は、前板部１８によって前方移動が規制された状態となる。また、少なくとも先頭のたばこ商品６０が水平部２０によって支持され、その直後に並ぶ１つ又は複数のたばこ商品６０がスロープ１５によって支持された状態となる。
【００８３】
一方、いわゆるレギュラーサイズ（ロングサイズと比べて高さ寸法が小さい）のたばこ商品６０を収容しているマガジン１００においては、図３に示すように、底上げ部材４０を装着領域５６に装着する。これにより、スロープ１５を含む底部１２の上方に第２底部４１が配置される。つまり、底上げ部材４０によって、底部１２の前部を底上げすることができる。
マガジン１００内のたばこ商品６０がレギュラーサイズの場合には、図３に示すように、底上げ部材４０を用いることにより、先頭のたばこ商品６０の上端位置が、フラップ２１の前壁部２２の上縁とほぼ同等の高さ位置となるようになっている。
底上げ部材４０が装着領域５６に装着されているマガジン１００の場合、搭載部１０に搭載されたたばこ商品６０のうち最後尾のたばこ商品６０の背面が押圧スライダ３０の押圧部３２によって前方に付勢され、先頭のたばこ商品６０は、前方移動規制部４３ａによって前方移動が規制された状態となる。また、少なくとも先頭のたばこ商品６０が連結部４３によって支持され、その直後に並ぶ１つ又は複数のたばこ商品６０が一対の支持レール部４２によって支持された状態となる。
【００８４】
店員又は購買客による操作を操作端末が受け付けると、マガジン什器１１０は、指定された銘柄のたばこ商品６０を収容しているマガジン１００と対応する第１表示部１１５を発光させるとともに、第２表示部１１７において、たばこ商品６０の販売処理を行うべき販売端末の番号（レジ番号）と、販売すべきたばこ商品６０の個数と、の表示報知を行う。
これにより、店員は、指定された銘柄のたばこ商品６０を収容しているマガジン１００の位置と、その販売処理を行うべき販売端末の番号と、販売すべきたばこ商品６０の個数と、を速やかに認識することができる。よって、オペレータは、当該マガジン１００から必要数のたばこ商品６０を取り出して、対応する販売端末において販売処理を行うことができる。
【００８５】
マガジン１００からのたばこ商品６０の取り出しは、例えば、店員が、フラップ２１の前壁部２２の上縁と、当該マガジン１００を支持している棚板１１２の一段上の棚板１１２の下縁と、の間隙に指を入れて、前壁部２２を前方に傾けつつ、先頭のたばこ商品６０（又は先頭のたばこ商品６０を含む複数のたばこ商品６０）を指で摘まみ、該たばこ商品６０を斜め上前方に抜き取ることによって行われる。
上述のように、本実施形態の場合、マガジン１００に搭載されているたばこ商品６０がロングサイズの場合とレギュラーサイズの場合とで、たばこ商品６０の上端位置が互いに同等となっている。
このため、マガジン１００に搭載されているたばこ商品６０がレギュラーサイズの場合にも、マガジン１００に搭載されているたばこ商品６０がロングサイズの場合と同様の作業性で、たばこ商品６０をマガジン１００から取り出すことができる。
よって、マガジン１００からのたばこ商品６０の取り出しを店員などのオペレータがより容易に行うことが可能である。
【００８６】
制御部は、測距センサ１１６による検出結果に基づいて、各マガジン１００におけるたばこ商品６０の残個数を監視する。制御部は、残個数が所定の閾値以下となった場合には、マガジン１００へのたばこ商品６０の補充を促す表示報知を第１表示部１１５に行わせる。たばこ商品６０の補充を促す表示報知の際には、指定された銘柄のたばこ商品６０を収容しているマガジン１００と対応する第１表示部１１５を発光させる際とは異なる発光態様（例えば異なる発光色）で第１表示部１１５を発光させることが好ましい。
【００８７】
マガジン１００へのたばこ商品６０の補充は、マガジン１００をマガジン収容棚１１１から取り出した状態で行われる。マガジン収容棚１１１のマガジン１００の取り出しは、例えば、オペレータが前壁部２２の上部を指で摘まみ、マガジン１００の前端部を斜め上前方に持ち上げて、突出部１２ｂと凹部１１２ａとの係合状態を解除させた状態で、マガジン１００を前方に引っ張り出すことによって、行うことができる。
【００８８】
ところで、本実施形態のように、たばこ商品６０を取り出すべきマガジン１００の位置を電気制御によって報知する場合、停電時などには第１表示部１１５や第２表示部１１７での表示動作（報知動作）ができなくなる可能性がある。
そこで、以下に説明する保持部材（不図示）を用いることによって、各フラップ２１が前傾している状態を保持できるようになっていることも好ましい。
保持部材は、一例として、左右に長尺な棒状の部材であり、当該保持部材の長手寸法は、マガジン収容棚１１１の横幅寸法と同等の寸法に設定されている。
横一列に並ぶ各マガジン１００のフラップ２１を一斉に前傾させた状態で、各フラップ２１の背面（例えば側壁部２３の下部の後縁）と側壁１１３の前縁との間に保持部材が挟み込まれるようにして、保持部材をおもりとして配置する。これにより、各フラップ２１を前傾状態に保持させることができる。
各フラップ２１が前傾した状態では、マガジン１００に収容されているたばこ商品６０の少なくとも一部分を正面側から視認できる。このため、店員は、たばこ商品６０を目視で確認することによって、所望の銘柄のたばこ商品６０を複数のマガジン１００のなかから探し出して取り出し、販売に供することができる。よって、停電時などにおいても、たばこ商品６０の販売業務を継続することが可能となる。
なお、保持部材によってフラップ２１を前傾状体に保持させる代わりに、マガジン１００は、各フラップ２１が前傾している状態を保持するための前傾状態保持機構を備えていてもよい。この前傾状体保持機構は、例えば、フラップ２１が前傾した状態でフラップ２１の揺動をロックする機構などであることが挙げられる。
【００８９】
〔第２実施形態〕
次に、図１２（ａ）及び図１２（ｂ）を用いて第２実施形態を説明する。図１２（ａ）は、底上げ部材４０の一対の支持レール部４２どうしの間に押圧スライダ３０が進入した状態を示している。図１２（ｂ）においては、押圧スライダ３０は不図示としている。
本実施形態に係るマガジン１００は、以下に説明する点で、上記の第１実施形態に係るマガジン１００と相違しており、その他の点では、上記の第１実施形態に係るマガジン１００と同様に構成されている。
【００９０】
本実施形態の場合、図１２（ａ）及び図１２（ｂ）に示すように、保管領域（第２領域４９）には、連結部４３が後、一対の支持レール部４２が前、且つ、一対の支持レール部４２が横方向に並ぶ向きで、底上げ部材４０を配置可能となっている。つまり、底上げ部材４０は、装着領域５６に装着される際とは前後対称な姿勢となって、保管領域に配置される。
更に、本実施形態の場合、搭載部本体１１は、仕切板部５５を有しておらず、底部１２が例えば搭載部本体１１の後端まで延在しているとともに、スリット１３の後端部並びに各側部１２ａの後端部が保管領域（第２領域４９）の配置領域まで延びている。
これにより、押圧スライダ３０の移動領域と保管領域（第２領域４９）との一部分どうしが前後方向において互いに重複している。すなわち、第１実施形態では、マガジン１００が第１領域４８と第２領域４９とを互いに重複しない状態で有するのに対し、本実施形態の場合、第１領域４８と第２領域４９とが互いに重複している。より詳細には、押圧スライダ３０の移動領域の後端部と、保管領域の前部と、が重複している。つまり、搭載部１０は、押圧スライダ３０の移動領域の後部に、底上げ部材４０の保管領域を有する。
そして、底上げ部材４０が保管領域に配置されている状態で、押圧スライダ３０が後退した際に、当該押圧スライダ３０が一対の支持レール部４２どうしの間に進入可能となっている（図１２（ａ））。
【００９１】
このように、底上げ部材４０の保管のためのスペース（保管領域）と押圧スライダ３０の移動領域とが前後方向において重複していて、押圧スライダ３０が一対の支持レール部４２どうしの間に進入可能であるため、底上げ部材４０を保管領域に保管した状態でも、マガジン１００におけるたばこ商品６０の収容量を十分に確保することができる。
【００９２】
ここで、底上げ部材４０が保管領域に配置されている状態で、１つ又は複数のたばこ商品６０が一対の支持レール部４２上（ガイドレール４２ａ上）に載る位置まで押圧スライダ３０が後退可能（一対の支持レール部４２どうしの間に進入可能）であることも好ましい。
【００９３】
また、底上げ部材４０が保管領域に配置されている状態での底上げ部材４０の安定性を向上するため、底部１２の後端部の上面は、底部１２の前端部（スロープ１５や水平部２０が形成されている部分）の上面と比べて前後対称な形状に形成されている。すなわち、底部１２の後端部の上面側には、スロープ１５と前後対称なスロープ１５ａと、スロープ１５ａの後方に位置していて水平部２０と同様の形状となっている水平部２０ｂと、が形成されている。
また、底部１２の後端部にも、底上げ部材４０の各突出部４４と対応する係合穴１６が形成されており、底上げ部材４０が保管領域に配置された状態で、各突出部４４がそれぞれ対応する係合穴１６に入り込んで係合するようになっている。
このため、底上げ部材４０が装着領域５６に装着されているときと同様の良好な安定性で、底上げ部材４０を保管領域に配置することができるようになっている。
【００９４】
なお、前方移動規制部４３ａには、例えば、当該前方移動規制部４３ａの上縁から下方に向けて切り欠かれた形状の切欠形状部４３ｂが形成されている。切欠形状部４３ｂは、横方向において、前方移動規制部４３ａの中央部に配置されている。
底上げ部材４０が保管領域に配置された状態で、切欠形状部１９ｂの前方に切欠形状部４３ｂが配置されるようになっている。そして、切欠形状部１９ｂ及び切欠形状部４３ｂを介して、測距センサ１１６の発光部１１６ａ（図１参照）が後壁部１９よりも前方に突出できるようになっている。これにより、後壁部１９及び前方移動規制部４３ａと発光部１１６ａとの干渉を抑制することができる。
なお、後壁部１９には切欠形状部１９ｂが形成されておらず後壁部１９の上縁が左右に水平に延在しているとともに、前方移動規制部４３ａには切欠形状部４３ｂが形成されておらず前方移動規制部４３ａの上縁が左右に水平に延在しており、後壁部１９及び前方移動規制部４３ａの上方に発光部１１６ａが配置されるようになっていてもよい。
【００９５】
〔第３実施形態〕
次に、図１３（ａ）及び図１３（ｂ）を用いて第３実施形態を説明する。図１３（ａ）及び図１３（ｂ）において、押圧スライダ３０は図示を省略している。
本実施形態に係るマガジン１００は、以下に説明する点で、上記の第１又は第２実施形態に係るマガジン１００と相違しており、その他の点では、上記の第１又は第２実施形態に係るマガジン１００と同様に構成されている。
【００９６】
本実施形態の場合、マガジン１００は、底上げ部材４０に加え、レギュラーサイズよりも小さいサイズのたばこ商品６０の側面と側壁部１７との間隙を埋めるアダプタ部材を備えている。
このアダプタ部材は、例えば、左右一対の内幅調整スペーサ７０により構成されている。
底上げ部材４０及び一対の内幅調整スペーサ７０を搭載部本体１１に装着することによって、搭載部１０の前部を底上げするとともに、たばこ商品６０と搭載部１０の側壁部１７との間隙を埋めることができる。
【００９７】
図１３（ａ）及び図１３（ｂ）に示すように、一対の内幅調整スペーサ７０は、前後に長尺に形成されている。各内幅調整スペーサ７０は、左右の側壁部１７の上縁部にそれぞれ被さるようにして係止されることで、各側壁部１７に対して着脱可能に装着される。
内幅調整スペーサ７０が側壁部１７に装着された状態で、内幅調整スペーサ７０は、少なくとも、たばこ商品６０の搭載領域並びにたばこ商品６０の移動領域の全域に亘って前後に延在するようになっている。
【００９８】
内幅調整スペーサ７０は、側壁部１７の上縁に載る天面部７１と、内側壁部７２と、外側壁部７３と、を有する。
天面部７１は、前後に長尺な板状に形成されている。より詳細には、天面部７１は、側面視においては、例えば、側壁部１７の上縁の形状に沿って屈曲している。
内側壁部７２は、側壁部１７の内面（搭載部本体１１の内部領域に臨む面）に沿って配置される板状の部分であり、板面が左右方向を向いている。内側壁部７２は、天面部７１の内側縁（左側の天面部７１においては右縁、右側の天面部７１においては左縁）から垂下している。内側壁部７２の上縁及び下縁の各々は、例えば、側面視において、側壁部１７の上縁と対応した形状となっており、内側壁部７２の上下寸法は、内側壁部７２の長手方向における全域に亘って一定となっている。
外側壁部７３は、側壁部１７の外面に沿って配置される板状の部分であり、板面が左右方向を向いている。外側壁部７３は、天面部７１の外側縁（左側の天面部７１においては左縁、右側の天面部７１においては右縁）から垂下している。外側壁部７３の上縁及び下縁の各々は、例えば、側面視において、側壁部１７の上縁と対応した形状となっており、外側壁部７３の上下寸法は、外側壁部７３の長手方向における全域に亘って一定となっている。
内側壁部７２と外側壁部７３とは、互いに平行に対向している。内幅調整スペーサ７０が側壁部１７に装着された状態では、内側壁部７２と外側壁部７３とは、側壁部１７の上縁部を間に挟んで互いに対向する。
【００９９】
なお、内側壁部７２の各部における上下寸法は、外側壁部７３の各部における上下寸法よりも大きくなっており、内側壁部７２の下縁の高さ位置は、外側壁部７３の下縁の高さ位置よりも低くなっている。このため、内側壁部７２によって、より安定的にたばこ商品６０の側面の位置決め及びガイドが可能となる。
内側壁部７２の前端部における下縁の高さ位置は、例えば、底上げ部材４０の前部における上縁の高さ位置とほぼ一致している。このため、内幅調整スペーサ７０が搭載部本体１１に装着された状態で、内側壁部７２の下縁が底上げ部材４０の上縁に沿って配置されるようになっている。
【０１００】
より詳細には、内幅調整スペーサ７０が側壁部１７に装着された状態で、天面部７１の下面は当該天面部７１の前端から後端に亘り側壁部１７の上縁（上端面）に当接した状態となり、外側壁部７３は側壁部１７の上縁部における外面に当接した状態となり、内側壁部７２は側壁部１７の上面部における内面から離間した状態となる。
内幅調整スペーサ７０は、内側壁部７２が側壁部１７から離間した状態を保持するための複数の位置決め突起７４を有する。
位置決め突起７４は、例えば、内側壁部７２において外側壁部７３と対向する面から外側壁部７３に向けて突出しているか、又は、天面部７１の下面から下方に突出している。
位置決め突起７４は、例えば、板面が前後方向を向いた平板状に形成されている。位置決め突起７４は、上下方向において、例えば、天面部７１の下端から外側壁部７３の下端に亘る範囲に配置されている。
外側壁部７３と位置決め突起７４との間隙の横幅寸法は、側壁部１７の厚み寸法と同等の寸法に設定されている。
側壁部１７に対して内幅調整スペーサ７０を装着する作業は、外側壁部７３と位置決め突起７４との間隙に側壁部１７の上縁部を差し込むか又は圧入することにより行われる。
一対の内幅調整スペーサ７０がそれぞれ側壁部１７に装着された状態で、各内側壁部７２において互いに対向する面どうし、すなわち搭載部本体１１の内部領域に臨む面どうしの対向間隔は、たばこ商品６０（レギュラーサイズよりも小さいサイズのたばこ商品６０）の横幅寸法よりも若干の大きい程度の寸法となるようになっている。
【０１０１】
各内幅調整スペーサ７０は、例えば、樹脂等の材料によって、その全体が一体形成されている。
【０１０２】
本実施形態の場合、搭載部１０に搭載されているたばこ商品６０の左右両側面が、左右の内幅調整スペーサ７０の内側壁部７２によって位置決めされる。より詳細には、搭載部１０に搭載されているすべてのたばこ商品６０の左右両側面が、左右の内幅調整スペーサ７０の内側壁部７２によって位置決めされる。また、たばこ商品６０が前方に移動する際には、たばこ商品６０の左右両側面が、左右の内側壁部７２によってそれぞれガイドされる。
このため、たばこ商品６０の横幅寸法が、搭載部１０の内部領域の横幅寸法よりも小さい場合において、たばこ商品６０が側方に変位したり側方に倒れてしまったりすることを抑制することができる。
【０１０３】
ここで、本実施形態における底上げ部材４０による底上げ高さは、第１実施形態における底上げ部材４０による底上げ高さよりも高いものとする。
また、装着領域５６には、第１実施形態における底上げ部材４０又は本実施形態における底上げ部材４０を選択的に装着可能となっている。
すなわち、底上げ部材４０として、底上げ高さが互いに異なる複数種類の底上げ部材４０を選択的に装着領域５６に装着可能である。
このため、たばこ商品６０の高さ寸法に応じて、適した底上げ高さの底上げ部材４０を用いることによって、たばこ商品６０の高さ寸法にかかわらず、同様の作業性でたばこ商品６０をマガジン１００から取り出すことが可能となる。
この場合、第１実施形態における底上げ部材４０又は本実施形態における底上げ部材４０のうち、装着領域５６に装着されない方の底上げ部材４０を、選択的に保管領域に保管できるようになっていることが好ましい。
【０１０４】
なお、第１実施形態における底上げ部材４０を装着領域５６に装着する際には、第１実施形態と同様に、内幅調整スペーサ７０を側壁部１７に装着しないようにしてもよいし、一対の内幅調整スペーサ７０の双方又は一方を併用することによって、搭載部１０の内部領域の横幅寸法を調整してもよい。
【０１０５】
〔第４実施形態〕
次に、図１４から図１８（ｂ）を用いて第４実施形態を説明する。図１４から図１８（ｂ）において、粗面化されている部分については、等間隔に配列されている複数のドットの網掛けで示しており、当該粗面化されている部分において、各方向に視た場合に、直接的に視認できる部分は相対的に小さいドットで示しており、他の部位によって隠されている（直接的には視認できない）部分は相対的に大きいドットで示している。
本実施形態に係るマガジン１００は、以下に説明する点で、上記の第１、第２又は第３実施形態に係るマガジン１００と相違しており、その他の点では、上記の第１、第２又は第３実施形態に係るマガジン１００と同様に構成されている。
【０１０６】
図１４から図１７に示すように、本実施形態の場合、搭載部本体１１の内面１１ａにおいて、物品（例えば、たばこ商品６０）と接触し得る部位の少なくとも一部分は、粗面化された粗面化部８５である。搭載部本体１１には、粗面化部８５において、複数の微小な凹凸が形成されている。
本実施形態によれば、たばこ商品６０が搭載部本体１１に収容されている状態において、たばこ商品６０と搭載部本体１１の内面１１ａとが互いに全面的に密着することを抑制できる（たばこ商品６０が内面１１ａに対して点接触することとなる）。よって、たばこ商品６０が押圧スライダ３０によって前方に押圧される際に、たばこ商品６０と搭載部本体１１の内面１１ａとの間に生じる摩擦を小さくすることができる。これにより、たばこ商品６０が前方に向けてスムーズに摺動することができる。
【０１０７】
粗面化部８５は、例えば、搭載部本体１１を射出成形する際に、金型に予め形成されている複数の微小な凹凸を搭載部本体１１に転写することによって形成されている。ただし、粗面化部８５を形成する手法は特に限定されず、例えば、ブラスト処理や、研磨剤を用いる手法などを用いてもよい。
【０１０８】
本実施形態の場合、図１５及び図１７に示すように、搭載部本体１１は、例えば、左右一対の側壁部１７を有し、側壁部１７の内面１７ｅの少なくとも一部分に粗面化部８５が形成されている。
いわゆるレギュラーサイズのたばこ商品６０を収容している場合、たばこ商品６０の側面６０ａと搭載部本体１１の内面１１ａとが互いに接触した状態となる。
しかし、上述の構成によれば、たばこ商品６０の側面６０ａと側壁部１７の内面１７ｅとが互いに全面的に密着することを抑制できる。よって、たばこ商品６０が前方移動する際に、たばこ商品６０と側壁部１７の内面１７ｅとの間に生じる摩擦を小さくすることができる。
【０１０９】
また、本実施形態の場合、側壁部１７の前部においては、例えば、当該側壁部１７の上縁１７ｄに沿った部位に粗面化部８５が形成されていることが好ましい。
このようにすることにより、たばこ商品６０が前方移動する際に、たばこ商品６０と側壁部１７の内面１７ｅとの間に生じる摩擦を小さくすることができる。
より詳細には、図１７に示すように、粗面化部８５は、上縁１７ｄの上記第１直線部の前端部に沿った部位と、上縁１７ｄの上記傾斜部に沿った部位と、上縁１７ｄの上記第２直線部に沿った部位と、に亘って形成されている。
ここで、側壁部１７の前部において、側壁部１７の上縁１７ｄに沿った部位（粗面化部８５）よりも下側の部位は、粗面化されておらず平滑面となっている。このため、測距センサ１１６の発光部１１６ａから出力された光が、側壁部１７の前部における上縁１７ｄよりも下方の部位に照射された場合にも、当該照射された光が散乱することに起因して測距センサ１１６の横隣などに位置する他の測距センサ１１６の受光部（不図示）に反射光が到達してしまうこと、を抑制できる。すなわち、発光部１１６ａから出力された光が他の測距センサ１１６の受光部（不図示）にて受光されることによる誤検出の発生を好適に抑制することができる。
【０１１０】
更に、本実施形態の場合、図１４及び図１７に示すように、側壁部１７の後部、及び、側壁部１７の後部と前部との間の中間部においては、内面１７ｅの全体に粗面化部８５が形成されていることが好ましい。
このようにすることにより、レギュラーサイズのたばこ商品６０が側壁部１７の後部付近まで搭載されている場合においても、たばこ商品６０が前方移動する際に、たばこ商品６０と側壁部１７の内面１７ｅとの間に生じる摩擦をより小さくすることができる。
なお、ここでいう内面１７ｅの全体とは、内面１７ｅにおいて、少なくとも側壁部１７の上縁１７ｄから、底部１２よりも上側に位置する部位の下縁までの領域を意味している。内面１７ｅにおいて、底部１２よりも下側の領域には、粗面化部８５が形成されていてもよいし、形成されていなくてもよい。
【０１１１】
また、本実施形態の場合、底部１２の前部における一部分の上面に粗面化部８５が形成されていることが好ましい。
より詳細には、本実施形態の場合、上述のように、底上げ部材４０は底部１２に対して着脱可能となっている。よって、搭載するたばこ商品６０の高さ寸法に応じて、底上げ部材４０を底部１２から取り外し、たばこ商品６０を底部１２の前端部に直に搭載する場合がある。また、図１５に示すように、一対のスライドレール１４ａ及び一対のガイドレール１４ｂの各々は、例えば、底部１２の一対のスロープ１５の前端で終端しており、底部１２の水平部２０までは延出していない。よって、押圧スライダ３０に押されて底部１２の前部に到達したたばこ商品６０は、スロープ１５に沿って上方に変位し、更に水平部２０上に配置されることとなる。
ここで、上述の構成によれば、押圧スライダ３０に押されて、たばこ商品６０が一対の側部１２ａ（一対のスライドレール１４ａ）の前端から水平部２０に移動する際に、たばこ商品６０の底面６０ｂと底部１２の上面との間に生じる摩擦をより小さくすることができる。よって、たばこ商品６０は、スロープ１５から水平部２０にスムーズに乗り上げることができる。
図１５に示すように、粗面化部８５は、例えば、一対の側部１２ａの上面の各前端部（一対のスロープ１５の前端部）と水平部２０の上面の全面とに亘って形成されている。
【０１１２】
また、本実施形態の場合、底上げ部材４０の前部における一部分の上面が粗面化されていることが好ましい。より詳細には、底上げ部材４０の一対の支持レール部４２の上面の各前端と連結部４３の上面の全面とが粗面化されていることが好ましい。
これにより、搭載部本体１１に対して底上げ部材４０が装着されている状態において、押圧スライダ３０に押されて、たばこ商品６０が一対の支持レール部４２の前端から連結部４３に移動する際に、たばこ商品６０の底面６０ｂと底上げ部材４０の上面との間に生じる摩擦をより小さくすることができる。よって、たばこ商品６０は、一対の支持レール部４２から連結部４３にスムーズに乗り上げることができる。
【０１１３】
また、上記において、底上げ部材４０が連結部４３を有する例を説明したが、底上げ部材４０が連結部４３を有しておらず、例えば、一対の支持レール部４２どうしは、前壁部４５によって互いに連結されていてもよい。この場合、底上げ部材４０の前部（一対の支持レール部４２の前部）における一部分の上面は粗面化されていなくてもよいし、粗面化されていてもよい。
【０１１４】
更に、図１８（ａ）及び図１８（ｂ）に示すように、押圧スライダ３０の背面３０ａの少なくとも一部分が粗面化されている（以下、第２粗面化部８９）ことが好ましい。搭載部本体１１には、第２粗面化部８９において、例えば、粗面化部８５と同様の複数の微小な凹凸が形成されている。
そして、押圧スライダ３０の背後に、押圧スライダ３０の位置の測距用の発光部（例えば、測距センサ１１６の発光部１１６ａ）が設置されており、発光部１１６ａは、押圧スライダ３０の粗面化されている部分（第２粗面化部８９）と同じ高さ位置に配置されていることが好ましい。また、発光部１１６ａは、例えば、押圧スライダ３０の背面３０ａの上縁よりも低い位置に配置されていることが好ましい。
本実施形態の場合、図１４に示すように、測距センサ１１６の発光部１１６ａと押圧スライダ３０の背面３０ａとは、前後方向において互いに対向して配置されている。そして、発光部１１６ａから前方に向けて照射された光は、背面３０ａによって測距センサ１１６の受光部（不図示）に向けて（後方に向けて）反射される。これにより、測距センサ１１６は、当該測距センサ１１６と押圧スライダ３０との距離を検出する。
ここで、上述の構成によれば、照射された光の角度にズレがあったとしても、当該照射された光は、背面３０ａが有する複数の微小な凹凸（第２粗面化部８９）によって拡散されるので、反射光の一部は受光部に到達することとなる。よって、測距センサ１１６は、当該測距センサ１１６と押圧スライダ３０との距離をより高い精度で検出することができる。
【０１１５】
本実施形態の場合、押圧スライダ３０において、少なくとも発光部１１６ａから光が照射され得る部位に第２粗面化部８９が形成されていればよい。よって、第２粗面化部８９は、例えば、押圧スライダ３０の背面３０ａの全面に亘って形成されていてもよいし、背面３０ａの中心部に形成されていてもよい。
本実施形態の場合、一例として、押圧部３２の背面の全面に亘って第２粗面化部８９が形成されている。
また、第２粗面化部８９は、例えば、背面３０ａに加えて、押圧スライダ３０の正面（押圧部３２の正面）にも形成されていてもよい。
【０１１６】
また、図１４に示すように、押圧スライダ３０の押圧部３２の上縁の高さ位置は、例えば、フラップ２１の前壁部２２の上縁の高さ位置よりも僅かに高い位置に設定されている。
これにより、発光部１１６ａから前方に向けて照射される光が、フラップ２１の前壁部２２の背面ではなく、押圧スライダ３０の背面３０ａによって反射されるようにできる。
【０１１７】
また、本実施形態の場合、図１４及び図１８（ａ）に示すように、押圧スライダ３０は、例えば、押圧部３２の上縁から前方に向けて延出している平板部３４を有する。
平板部３４の上面及び下面の各々は、例えば、平坦に形成されており、水平に配置されている。平板部３４の平面形状は、例えば、左右方向に長尺な略矩形状に形成されている。平板部３４の高さ位置は、フラップ２１の前壁部２２の上縁の高さ位置よりも僅かに高い位置に設定されている。
押圧スライダ３０が平板部３４を有することによって、収容されているたばこ商品６０の数が少なくなったとしても、たばこ商品６０が搭載部１０（搭載部本体１１）から上方に向けて飛び出してしまうことを規制できる。よって、たばこ商品６０が搭載部１０（搭載部本体１１）に良好に搭載されている状態を維持することができる。
【０１１８】
また、図１５に示すように、本実施形態の場合、搭載部本体１１の内部領域は、例えば、底上げ部材４０が保管される保管領域（第２領域４９）を含んでいなくてもよい。この場合、例えば、一対の側部１２ａの各々の後端部は、それぞれ後方に向けて上り傾斜している第２スロープ８３となっており、底部１２において、第２スロープ８３よりも後方の部分は、実質的に水平に延在している第２水平部８４となっている。
【０１１９】
図１４及び図１５に示すように、マガジン１００は、搭載部１０に物品（例えば、たばこ商品６０）を限度量（上限量）まで補充した際の、最後尾の物品の後端位置を示す標示部８０を有する。
なお、ここでいう限度量とは、搭載部１０に収容することのできる物品の最大量ではなく、搭載される物品の推奨量を意味している。
また、図１５に示すように、標示部８０は、例えば、押圧スライダ３０の摺動部３１を前後にガイドする一対のスライドレール１４ａの後端よりも前側に配置されている。
上述の構成によれば、使用者は、収容されているたばこ商品６０の数が上記限度量に達しているかどうかを容易に確認することができる。そして、収容されるたばこ商品６０の量が当該限度量を超えないようにすることにより、押圧スライダ３０の摺動部３１が、収容されているたばこ商品６０によって、一対のスライドレール１４ａの後端よりも後側に押し下げられてしまうことを抑制できる。これにより、先頭のたばこ商品６０が搭載部１０から取り出されると押圧スライダ３０が線材リール５０の付勢力によって前方移動する状態を、良好に維持することができる。
本実施形態の場合、標示部８０は、例えば、側壁部１７に形成されている第１標示部８１と、底部１２に形成されている第２標示部８２と、を含む。
図１４及び図１７に示すように、第１標示部８１は、例えば、左右一対の側壁部１７の各々の後部に形成されている。右側の第１標示部８１は、例えば、右側の側壁部１７の外面に形成されている突条であり、左側の第１標示部８１は、例えば、左側の側壁部１７の外面に形成されている突条である。
各第１標示部８１は、側壁部１７の上縁１７ｄから下縁１７ｃに亘って直線状に延在している直線部と、直線部の上下方向における中央部と接続しており、前方を指している矢印形状に形成されている矢印部と、を有する。
また、図１５に示すように、第２標示部８２は、例えば、左右一対の側部１２ａの各々の後部の上面に形成されている。各第２標示部８２は、例えば、前後方向において、各第１標示部８１の上記直線部と同じ位置に配置されている。
各第２標示部８２は、例えば、左右方向に直線状に延在している突条である。右側の第２標示部８２と左側の第２標示部８２とは、例えば、スリット１３を間に挟んで、左右に並んでおり、互いに延長上に配置されている。
上述の構成によれば、使用者は、第１標示部８１によって、側面視において、搭載されているたばこ商品６０の数が上記限度量に達しているかどうかを視認することができるとともに、第２標示部８２によって、平面視において、搭載されているたばこ商品６０の数が上記限度量に達しているかどうかを視認することができる。このため、押圧スライダ３０の摺動部３１が、収容されているたばこ商品６０によって、一対のスライドレール１４ａの後端よりも後側に押し下げられてしまうことをより確実に抑制できる。
【０１２０】
ところで、搭載部本体１１の内面１１ａにおいて、物品と接触し得る部位の少なくとも一部分は粗面化された粗面化部８５である上述の構成は、例えば、底上げ部材４０を有していないマガジン１００及びマガジン什器１１０にも適用可能である。すなわち、マガジン１００は、複数の物品（例えば、たばこ商品６０）を前後方向に並べて搭載可能な搭載部１０と、搭載部１０に沿って前後に移動可能に設けられた押圧スライダ３０と、押圧スライダ３０を前方に付勢する付勢部（例えば、線材リール５０）と、を備えるマガジン１００であって、搭載部１０は、物品を前方に向けて摺動可能に支持する底部１２を有する搭載部本体１１を有し、搭載部本体１１の内面１１ａにおいて、物品と接触し得る部位の少なくとも一部分は、粗面化された粗面化部８５であるように構成されていてもよい。
また、マガジン什器１１０は、それぞれ複数のマガジンを横並びに支持可能な複数段の棚板１１２を備えており、複数のマガジンの各々は、ここで説明したように、底上げ部材４０を有しておらず粗面化部８５を有するマガジンであるように構成されていてもよい。
【０１２１】
本発明は上述の各実施形態に限定されるものではなく、本発明の目的が達成される限りにおける種々の変形、改良等の態様も含む。
【０１２２】
本実施形態は以下の技術思想を包含する。
（１）複数の物品を前後方向に並べて搭載可能な搭載部と、
前記搭載部に沿って前後に移動可能に設けられた押圧スライダと、
前記押圧スライダを前方に付勢する付勢部と、
を備えるマガジンであって、
前記搭載部は、前記物品を前方に向けて摺動可能に支持する底部を有する搭載部本体を有し、
当該マガジンは、前記搭載部本体の装着領域に着脱可能に装着される底上げ部材を更に備え、
前記底上げ部材は、前記物品を前方に向けて摺動可能に支持する第２底部を有し、
前記底上げ部材が前記装着領域に装着された状態では、前記底部の前端部の上方位置に前記第２底部の前端部が配置されるマガジン。
（２）前記装着領域は、前記搭載部本体の前部の領域であり、
前記第２底部は、前記底部の前部を底上げするものであり、前方に向けて上り傾斜している（１）に記載のマガジン。
（３）前記底上げ部材は、前記第２底部の前縁部から上方に向けて起立していて前記物品の前方移動を規制する前方移動規制部を有する（１）又は（２）に記載のマガジン。
（４）前記第２底部は、前記物品を支持する一対の支持レール部を含み、
前記一対の支持レール部どうしが相互に離間しており、
前記底上げ部材は、前記一対の支持レール部の一端部どうしを相互に連結している連結部を有し、
前記底上げ部材は、前記連結部が前、前記一対の支持レール部が後、且つ、前記一対の支持レール部が横方向に並ぶ向きで、前記装着領域に装着されるようになっており、
前記底上げ部材が前記装着領域に装着されている状態で、前記押圧スライダが前進した際に、当該押圧スライダが前記一対の支持レール部どうしの間に進入する（１）から（３）のいずれか一項に記載のマガジン。
（５）前記搭載部は、前記押圧スライダの移動領域よりも後方に、前記底上げ部材の保管領域を有し、
前記連結部が下、前記一対の支持レール部が上の姿勢で、前記底上げ部材を前記保管領域に配置可能である（４）に記載のマガジン。
（６）前記搭載部は、前記押圧スライダの移動領域の後部に、前記底上げ部材の保管領域を有し、
前記連結部が後、前記一対の支持レール部が前、且つ、前記一対の支持レール部が横方向に並ぶ向きで、前記底上げ部材を前記保管領域に配置可能であり、
前記底上げ部材が前記保管領域に配置されている状態で、前記押圧スライダが後退した際に、当該押圧スライダが前記一対の支持レール部どうしの間に進入する（４）に記載のマガジン。
（７）前記底上げ部材として、底上げ高さが互いに異なる複数種類の底上げ部材を選択的に前記装着領域に装着可能である（１）から（６）のいずれか一項に記載のマガジン。
（８）前記搭載部本体の内面において、前記物品と接触し得る部位の少なくとも一部分は、粗面化された粗面化部である（１）から（７）のいずれか一項に記載のマガジン。
（９）前記搭載部本体は、左右一対の側壁部を有し、前記側壁部の内面の少なくとも一部分に前記粗面化部が形成されている（８）に記載のマガジン。
（１０）前記側壁部の前部においては、当該側壁部の上縁に沿った部位に前記粗面化部が選択的に形成されている（９）に記載のマガジン。
（１１）前記側壁部の後部、及び、前記側壁部の前記後部と前記前部との間の中間部においては、内面の全体に前記粗面化部が形成されている（１０）に記載のマガジン。
（１２）前記底部の前部における一部分の上面が粗面化されている（８）から（１１）のいずれか一項に記載のマガジン。
（１３）前記押圧スライダの背面の少なくとも一部分が粗面化されている（１）から（１２）のいずれか一項に記載のマガジン。
（１４）前記押圧スライダの背後に、前記押圧スライダの位置の測距用の発光部が設置されており、
前記発光部は、前記押圧スライダの前記粗面化されている部分と同じ高さ位置に配置されている（１３）に記載のマガジン。
（１５）前記搭載部に前記物品を限度量まで補充した際の、最後尾の前記物品の後端位置を示す標示部を有する（１）から（１４）のいずれか一項に記載のマガジン。
（１６）それぞれ複数のマガジンを横並びに支持可能な複数段の棚板を備えるマガジン什器であって、
前記複数のマガジンの各々は、（１）から（１５）のいずれか一項に記載のマガジンであるマガジン什器。
（１７）前記マガジンの前記搭載部は、前方を向く前壁部を有し、前記前壁部の上下寸法は、当該マガジンの横幅寸法よりも大きい（１６）に記載のマガジン什器。
（１８）一の前記棚板に前記複数のマガジンが支持された状態で、これら複数のマガジンの前記前壁部の上縁と当該一の棚板の一段上の前記棚板の下縁との高低差が、横方向において互いに隣り合う前記マガジンどうしの間隙よりも大きい（１７）に記載のマガジン什器。
（１９）前記マガジンの前記前壁部の上縁の位置が、当該マガジンの前記押圧スライダの上縁の位置よりも高い（１７）又は（１８）に記載のマガジン什器。
（２０）複数の物品を前後方向に並べて搭載可能な搭載部と、
前記搭載部に沿って前後に移動可能に設けられた押圧スライダと、
前記押圧スライダを前方に付勢する付勢部と、
を備えるマガジンであって、
前記搭載部は、前記物品を前方に向けて摺動可能に支持する底部を有する搭載部本体を有し、
前記搭載部本体の内面において、前記物品と接触し得る部位の少なくとも一部分は、粗面化された粗面化部であるマガジン。
（２１）それぞれ複数のマガジンを横並びに支持可能な複数段の棚板を備えるマガジン什器であって、前記複数のマガジンの各々は、（２０）に記載のマガジンであるマガジン什器。
【符号の説明】
【０１２３】
１０  搭載部
１１  搭載部本体
１１ａ  内面
１２  底部
１２ａ  側部
１２ｂ  突出部
１３  スリット
１４ａ  スライドレール
１４ｂ  ガイドレール
１５、１５ａ  スロープ
１６  係合穴
１７  側壁部
１７ａ  ガイドピン
１７ｂ  軸部
１７ｃ  下縁
１７ｄ  上縁
１７ｅ  内面
１８  前板部
１９  後壁部
１９ａ  位置決め突起
１９ｂ  切欠形状部
２０、２０ｂ  水平部
２０ａ  溝
２１  フラップ
２２  前壁部
２２ａ  軸受部
２２ｂ  固定部
２３  側壁部
２３ａ  ガイド孔
３０  押圧スライダ
３１  摺動部
３２  押圧部
３３  補強板
４０  底上げ部材
４１  第２底部
４２  支持レール部
４２ａ  ガイドレール
４２ｂ、４２ｃ  側壁部
４３  連結部
４３ａ  前方移動規制部
４３ｂ  切欠形状部
４４  突出部
４５  前壁部
４５ａ  凹所
４６  後壁部
４７  側壁部
４８  第１領域
４９  第２領域
４９ａ  底板
５０  線材リール
５１  線材
５２  ケース部
５３  留め具
５４  後端部
５５  仕切板部
５６  装着領域
５７  レール本体部
６０  たばこ商品
６０ａ  側面
６０ｂ  底面
７０  内幅調整スペーサ
７１  天面部
７２  内側壁部
７３  外側壁部
７４  位置決め突起
８０  標示部
８１  第１標示部
８２  第２標示部
８５  粗面化部
８３  第２スロープ
８４  第２水平部
８９  第２粗面化部
１００  マガジン
１１０  マガジン什器
１１１  マガジン収容棚
１１２  棚板
１１２ａ  凹部
１１３  側壁
１１４  後壁部
１１５、１１５ａ  第１表示部
１１６  測距センサ
１１６ａ  発光部
１１７  第２表示部
１１８  天板
１１９  表示パネル
【図１】
2020151471.tif 000003
【図２】
2020151471.tif 000004
【図３】
2020151471.tif 000005
【図４】
2020151471.tif 000006
【図５】
2020151471.tif 000007
【図６】
2020151471.tif 000008
【図７】
2020151471.tif 000009
【図８】
2020151471.tif 000010
【図９】
2020151471.tif 000011
【図１０】
2020151471.tif 000012
【図１１】
2020151471.tif 000013
【図１２】
2020151471.tif 000014
【図１３】
2020151471.tif 000015
【図１４】
2020151471.tif 000016
【図１５】
2020151471.tif 000017
【図１６】
2020151471.tif 000018
【図１７】
2020151471.tif 000019
【図１８】
2020151471.tif 000020